(57)【要約】【課題】  廃液、生活用水、海水、河川水、池水、動植物育成用水、食品加工用水または飲料水等各種汚染水から、より簡素な設備で安全かつ簡便にセシウムを効率的に一掃除去できると共に、簡素かつ低廉な設備で一般家庭でも容易にセシウムを除去できるセシウムの除去方法およびセシウム除去機能を備えたミネラルウォーター生成器を提供する。【解決手段】本発明のセシウムの除去方法は、セシウムを含有した汚染水にプルシアンブルーを添加する工程と、セシウムを含有した汚染水に天然鉱石を無機酸で処理しミネラル成分を可溶化させた処理用凝集剤を添加する工程と、前記プルシアンブルーにより着色されると共に前記処理用凝集剤にて凝集させたセシウムを含有した凝集物を汚染水内で生成させる工程と、前記プルシアンブルーにより着色されると共に前記処理用凝集剤にて凝集させたセシウムを含有した凝集物と水を分離する工程を有している。【選択図】図１
2014021030.tif 000002
【特許請求の範囲】
【請求項１】
セシウムを含有した汚染水にプルシアンブルーを添加する工程と、セシウムを含有した汚染水に天然鉱石を無機酸で処理しミネラル成分を可溶化させた処理用凝集剤を添加する工程と、前記プルシアンブルーにより着色されると共に前記処理用凝集剤にて凝集させたセシウムを含有した凝集物を汚染水内で生成させる工程と、前記プルシアンブルーにより着色されると共に前記処理用凝集剤にて凝集させたセシウムを含有した凝集物と水を分離する工程を有していることを特徴とするセシウムの除去方法。
【請求項２】
前記プルシアンブルーにより着色されると共に前記処理用凝集剤にて凝集させたセシウムを含有した凝集物と水を分離する工程は、濾過にて行われる請求項１に記載のセシウムの除去方法。
【請求項３】
前記セシウムの除去方法は、セシウムを含有した汚染水に有機物を添加する工程を有している請求項１または２に記載のセシウムの除去方法。
【請求項４】
セシウムを含有した飲料水を収容するための原水容器と、該原水容器内に収容されたセシウムを含有した飲料水に添加するプルシアンブルーと、前記原水容器内に収容されたセシウムを含有した飲料水に添加してセシウムを含有した凝集物を形成する処理用凝集剤であって天然鉱石を無機酸で処理しミネラル成分を可溶化させた処理用凝集剤と、前記原水容器と連通口を介して連通すると共に生成された生成水を貯留するための貯水容器と、前記連通口を被覆して配されセシウムを含有しプルシアンブルーにより着色されたた凝集物を濾過するためのフィルターを有することを特徴とするセシウム除去機能を備えたミネラルウォーター生成器。
【請求項５】
前記処理用凝集剤は、ｐＨが５〜７に調整されている請求項４に記載のセシウム除去機能を備えたミネラルウォーター生成器。
【発明の詳細な説明】
【技術分野】
【０００１】
本発明は、廃液、生活用水、海水、河川水、池水、動植物育成用水、食品加工用水または飲料水等各種汚染水に含まれる放射性セシウムの除去方法およびセシウム除去機能を備えたミネラルウォーター生成器に関する。
【背景技術】
【０００２】
福島原子力発電所の事故を契機として原子炉施設からの廃液に水溶性セシウムが含まれていることが報道されている。また、生活用水、海水、河川水、池水、動植物育成用水、食品加工用水または飲料水等各種汚染水の放射能汚染が懸念されている。
【０００３】
セシウムは半減期が３０年と長く体内に摂取すると蓄積して被曝する危険性が高いことから、原発施設等からの廃液処理のみならず、生活用水、海水、河川水、池水、動植物育成用水、食品加工用水または飲料水等各種汚染水からの除去が懸案となっており、安全に除染する技術の確立が求められ、様々な研究が進められている。
【０００４】
廃液等汚染水からセシウムを除去する方法としては、例えば特開２００７−２７１３０６号公報の脱窒菌で吸着除去する方法、蒸発濃縮法，イオン交換法，凝集沈澱法、またはこれらを組み合わせた方法が種々提案されているが、現在のところ、効果的な除去方法が確立されていない。
【０００５】
また、最近、青色顔料のプルシアンブルーのナノ粒子がセシウムを選択的に吸着し、ジャングルジムのような結晶構造の隙間にセシウムを収めると安定して出にくくする特質があることが報告され、このプルシアンブルーの吸着作用を利用した除染装置が提案されている。
【０００６】
この除染装置は、セシウム１３３・１３７が溶解した汚染水にプルシアンブルー（フェロシアン化第二鉄）を混合し、遠心力を用いて分離した後、フィルターにて濾し取るように構成された装置である。
【０００７】
しかし、処理を要する危険物質が汚染水全量となるため、遠心分離器や濾過器を含む除去設備が大型化かつ複雑化し高価なものになると共にメンテナンスが容易でなかった。また、汚染水の全量が危険物質となることから、汚染水を取り扱う作業者の安全を確保することが困難であった。さらに、一般家庭では水溶性セシウムを効果的かつ安全に除去する装置が嘱望されていた。
【先行技術文献】
【特許文献】
【０００８】
【特許文献１】特開２００７−２７１３０６号公報
【発明の概要】
【発明が解決しようとする課題】
【０００９】
そこで、本発明の課題は、廃液、生活用水、海水、河川水、池水、動植物育成用水、食品加工用水または飲料水等各種汚染水から、簡素な設備で安全かつ簡便にセシウムを効率的に一掃除去できると共に、一般家庭でも容易かつ安全にセシウムを除去できるセシウムの除去方法およびセシウム除去機能を備えたミネラルウォーター生成器を提供することにある。
【００１０】
上記課題を解決するものは、セシウムを含有した汚染水にプルシアンブルーを添加する工程と、セシウムを含有した汚染水に天然鉱石を無機酸で処理しミネラル成分を可溶化させた処理用凝集剤を添加する工程と、前記プルシアンブルーにより着色されると共に前記処理用凝集剤にて凝集させたセシウムを含有した凝集物を汚染水内で生成させる工程と、前記プルシアンブルーにより着色されると共に前記処理用凝集剤にて凝集させたセシウムを含有した凝集物と水を分離する工程を有していることを特徴とするセシウムの除去方法である。
【００１１】
前記プルシアンブルーにより着色されると共に前記処理用凝集剤にて凝集させたセシウムを含有した凝集物と水を分離する工程は、濾過にて行われることが好ましい。前記セシウムの除去方法は、セシウムを含有した汚染水に有機物を添加する工程を有していることが好ましい。
【００１２】
また、上記課題を解決するものは、セシウムを含有した飲料水を収容するための原水容器と、該原水容器内に収容されたセシウムを含有した飲料水に添加するプルシアンブルーと、前記原水容器内に収容されたセシウムを含有した飲料水に添加してセシウムを含有した凝集物を形成する処理用凝集剤であって天然鉱石を無機酸で処理しミネラル成分を可溶化させた処理用凝集剤と、前記原水容器と連通口を介して連通すると共に生成された生成水を貯留するための貯水容器と、前記連通口を被覆して配されセシウムを含有しプルシアンブルーにより着色された凝集物を濾過するためのフィルターを有することを特徴とするセシウム除去機能を備えたミネラルウォーター生成器である。前記処理用凝集剤は、ｐＨが５〜７に調整されていることが好ましい。
【発明の効果】
【００１３】
請求項１に記載した発明によれば、廃液、生活用水、海水、河川水、池水、動植物育成用水、食品加工用水または飲料水等各種汚染水から、簡素な設備で安全かつ簡便にセシウムを効率的に一掃除去できる。
請求項２に記載した発明によれば、簡素な設備でより確実にセシウムを除去できる。
請求項３に記載した発明によれば、セシウムを含有した凝集物をより確実に形成できる。
請求項４に記載した発明によれば、一般家庭でも容易かつ安全にセシウムを除去できる。
請求項５に記載した発明によれば、凝集能力を高めることができると共に、飲料水中の有機物および砒素、鉛等の有害重金属を凝集させて除去することが可能となる。
【図面の簡単な説明】
【００１４】
【図１】本発明のセシウムの除去方法を説明するための説明図である。
【図２】本発明のミネラルウォーター生成器の一実施例の斜視図である。
【図３】図２に示したミネラルウォーター生成器の部分縦端面図である。
【図４】図２に示したミネラルウォーター生成器の分解斜視図である。
【図５】図３の部分拡大図である。
【発明を実施するための形態】
【００１５】
本発明では、汚染水量に対して極めて少量のプルシアンブルーおよび処理用凝集剤を添加するのみで、危険物質であるセシウムを可視化させると共に、セシウムを含む危険処理対象物を凝集させ減容化することで、廃液、生活用水、海水、河川水、池水、動植物育成用水、食品加工用水または飲料水等各種汚染水から、簡素な設備で安全かつ簡便にセシウムを効率的に一掃除去できるセシウムの除去方法、および一般家庭でも容易かつ安全にセシウムを除去できるセシウム除去機能を備えたミネラルウォーター生成器を実現した。
【実施例１】
【００１６】
本発明のセシウムの除去方法を、図１に示した一実施例を用いて説明する。
この実施例のセシウムの除去方法は、セシウムを含有した汚染水にプルシアンブルーを添加する工程と、セシウムを含有した汚染水に天然鉱石を無機酸で処理しミネラル成分を可溶化させた処理用凝集剤を添加する工程と、プルシアンブルーにより着色されると共に処理用凝集剤にて凝集させたセシウムを含有した凝集物を汚染水内で生成させる工程と、前記プルシアンブルーにより着色されると共に処理用凝集剤にて凝集させたセシウムを含有した凝集物と水を分離する工程を有している。以下、各工程につい順次詳述する。
【００１７】
セシウムを含有した汚染水にプルシアンブルーを添加する工程では、汚染水貯留槽３０内の汚染水を汚染水処理容器３１に流入させた後、プルシアンブルーＡを添加する。これにより、プルシアンブルーのナノ粒子がセシウムを選択的に吸着し、ジャングルジムのような結晶構造の隙間にセシウムを収め、安定して出にくくする作用が生じる。プルシアンブルーのこの作用で汚染水は着色される。具体的には汚染水が透明である場合は青色顔料で青色に着色され、汚染水に予め色がある場合はその色に青味が加わった色に着色される。
【００１８】
なお、本願でいう「プルシアンブルー」とは青色顔料を意味するものであり、この実施例ではフェロシアン化第二鉄が使用されている。ただし、本願でいう「プルシアンブルー」はフェロシアン化第二鉄に限定されるものではなく、セシウムを選択的に吸着する性質を有する青色顔料を広く包含する。
【００１９】
また、セシウムを含有した汚染水に有機物を添加する工程を有することが好ましい。具体的には、処理用凝集剤を添加する前に、汚染水処理容器３１に有機物Ｂを添加する。これにより、セシウムを含有した凝集物をより確実に形成できる。この有機物として例えば牛乳などが好適に使用できる。
【００２０】
セシウムを含有した汚染水に天然鉱石を無機酸で処理しミネラル成分を可溶化させた処理用凝集剤を添加する工程では、汚染水処理容器３１内に処理用凝集剤Ｃを添加する。これにより、プルシアンブルーにより着色されたセシウムを含有した凝集物を形成することができる。
【００２１】
この処理用凝集剤は、天然鉱石を無機酸で処理しミネラル成分を可溶化させて製造されたものである。処理用凝集剤の原料となる天然鉱石としては特に限定されないが、例えば、花崗岩が風化して生成された腐食岩（バーミュキュライト）、またはこの腐食岩がさらに風化して生成された土壌、或いは両者の混合物が好適に使用できる。
【００２２】
天然鉱石を処理する無機酸としては、例えば、硫酸、塩酸、硝酸またはこれらの混合物が好適に使用できるが、中でも、溶解度と反応速度に優れ、かつ不揮発性の硫酸がより好ましい。
【００２３】
処理用凝集剤の製造方法としては、例えば９８％硫酸を用いた場合、２０〜２５重量％の硫酸と、岩石の粉砕物（予め１．０ｍｍ以下に粉砕したもの）を５０〜６６重量％と、その他（水）とを混合し、６５〜７５℃で５〜８時間熱処理及び攪拌し、さらに１２〜１５時間冷却及び攪拌してミネラルを溶解抽出させる方法が挙げられる。
【００２４】
そして、この処理用凝集剤（ミネラル濃縮液）は、水酸化ナトリウムまたはクエン酸緩衝液などを所要量添加することにより、ｐＨが５〜７に調整されることが好ましい。これにより、凝集能力を高めることができる。
【００２５】
プルシアンブルーにより着色されると共に処理用凝集剤Ｃにて凝集したセシウムを含有した凝集物を汚染水内で生成させる工程は、汚染水処理容器３１内でプルシアンブルーＡ、有機物Ｂおよび処理用凝集剤Ｃを添加した後、放置することで行われる。
【００２６】
処理用凝集剤Ｃにて凝集させたセシウムを含有した凝集物と水を分離する工程は、セシウムを含有した凝集物を収容する凝集物容器３２と液体容器３３にそれぞれ凝集物Ｓと浄化水Ｐを流入させ収容することにより行われる。具体的には、この実施例では、凝集物Ｓは汚染水処理容器３１内の底部付近に沈殿するため、底部付近に設けられた第１排出口３４より凝集物容器３２に流入して分離され、浄化水Ｐは汚染水処理容器３１内の上部付近に設けられた第２排出口３５より液体容器３３に流入して分離されるよう構成されている。
【００２７】
そして、凝集物Ｓ内に危険物質であるセシウムが含有されているため、水と分離され減容化された凝集物Ｓを処理すればよく、セシウムの処理をより容易に行うことができる。また、凝集物Ｓ内のセシウムはプルシアンブルーにて着色され可視化されているため、作業者は安全にセシウムを処理することができる。
【００２８】
なお、この実施例では、上記のような分離方法によって凝集物Ｓと水Ｐを分離しているが、これらの分離を濾過によって行ってもよい。濾過によって両者を分離することで、簡素な設備でより確実にセシウムを除去できる。
【００２９】
以上のように、本発明のセシウムの除去方法では、プルシアンブルーのナノ粒子がセシウムを選択的に吸着し、プルシアンブルーのこの作用で汚染水のうちのセシウムを含有する部分が可視化されるため、セシウムの処理に携わる者がセシウムに触れることを確実に回避できると共に、処理対象物を目視できることでより確実にセシウムを除去できる。さらに、セシウムを含有した処理対象物は処理用凝集剤にて凝集され沈殿するため、処理対象物が減容化されることでより容易かつ安全にセシウムを処理できる。
【００３０】
つぎに、本発明のセシウム除去機能を備えたミネラルウォーター生成器を図２ないし図５に示した一実施例を用いて説明する。
【００３１】
この実施例のミネラルウォーター生成器１は、セシウムを含有した飲料水を収容するための原水容器２と、原水容器２内に収容されたセシウムを含有した飲料水に添加するプルシアンブルーと、原水容器２内に収容されたセシウムを含有した飲料水に添加してセシウムを含有した凝集物を形成する処理用凝集剤であって天然鉱石を無機酸で処理しミネラル成分を可溶化させた処理用凝集剤と、原水容器２と連通口５を介して連通すると共に生成された生成水を貯留するための貯水容器４と、連通口５を被覆して配されセシウムを含有した凝集物を濾過するためのフィルター８を有している。以下、各構成について順次詳述する。
【００３２】
ミネラルウォーター生成器１は、本発明のセシウムの除去方法をミネラルウォーター生成器に適用したものである。
【００３３】
原水容器２は、水道水や井戸水等の飲料水を注入するための容器であり、この原水容器２内に、セシウムを含有した飲料水（原水）とプルシアンブルーと処理用凝集剤を添加してセシウムを可視化されると共に凝集させ、ミネラルウォーターを生成する。
【００３４】
原水容器２は、図４に示すように、上端が開口した有底筒状体（円筒体）に形成されており、底部に連通口５を有したフィルター載置部６を備えると共に、上端の開口には、上蓋９が着脱自在に被嵌できるように構成されている。
【００３５】
フィルター載置部６には、図５に示すように、凹状に形成されたフィルター載置板１０と、フィルター載置板１０の下部に設けられ当該フィルター載置板１０を貫通する筒部１１とを有したフィルター載置部材１２が配されており、このフィルター載置部材１２は、筒部１１がフィルター載置部６の連通口５に挿通された状態で原水容器２の底部に固定されている。
【００３６】
より具体的には、筒部１１の外周には螺子部（図示しない）が形成されており、この螺子部と蝶ナット１３とが螺合されることによって、フィルター載置板１０が原水容器２の底部に設けられたフィルター載置部６上に固定されている。なお、凹状に形成されたフィルター載置板１０には、フィルター８の下部が嵌め入れ可能に形成されていることが好ましい。
【００３７】
フィルター８は、図３または図５に示すように、活性炭７と、活性炭７を被包したセラミックフィルター７Ａとから構成されている。活性炭７は、セラミックフィルター７Ａを通過した原水内に残存する不純物等を吸着して脱臭、脱色する作用を有するものであり、セラミックフィルター７Ａは、０．５μｍの微細孔をもつセラミックスから形成されており、処理用凝集剤によって凝集された原水中の不純物を濾過して除去する。
【００３８】
ミネラルウォーター生成器１では、この原水容器２内で、セシウムを含有した飲料水にプルシアンブルーを添加する工程と、セシウムを含有した飲料水に天然鉱石を無機酸で処理しミネラル成分を可溶化させた処理用凝集剤を添加する工程と、前記処理用凝集剤にて凝集したセシウムを含有した凝集物を濾過する工程が行われるように構成されている。
【００３９】
なお、この実施例のセラミックフィルター７Ａは、０．５μｍの微細孔を有しているが、セシウムを含有した凝集物を除去するには、３μｍ程度の微細孔であれば濾過できるため、０．３〜３μｍの微細孔を有するフィルターを有するものであればよい。
【００４０】
原水容器２内に収容されたセシウムを含有した飲料水に添加するプルシアンブルーは、セシウムを吸着して飲料水内のセシウムを可視化するためのものであり、これにより、本発明のミネラルウォーター生成器の使用者は、セシウムが確実に除去されたかを目視で確認でき、安心して生成水を飲用することができる。
【００４１】
なお、本願でいう「プルシアンブルー」とは青色顔料を意味しており、この実施例ではフェロシアン化第二鉄が使用されている。ただし、本願でいう「プルシアンブルー」はフェロシアン化第二鉄に限定されるものではなく、セシウムを選択的に吸着する性質を有する青色顔料を広く包含する。
【００４２】
処理用凝集剤は、原水容器２内に収容されたセシウムを含有した飲料水に添加してセシウムを含有した凝集物を形成すると共に、飲料水に多数のミネラルを含有させるためのものであり、天然鉱石を無機酸で処理しミネラル成分を可溶化させて製造されている。さらに、この処理用凝集剤は、水の分子間に溶け込む身体に有害な影響を及ぼす元となる遊離塩素や有機塩素化合物その他の有機物の凝集作用、大腸菌群等の雑菌の制菌作用、酸化還元電位を低下させる作用などを奏するものでもある。
【００４３】
処理用凝集剤の原料となる天然鉱石としては特に限定されないが、例えば、花崗岩が風化して生成された腐食岩（バーミュキュライト）、またはこの腐食岩がさらに風化して生成された土壌、或いは両者の混合物が好適に使用できる。
【００４４】
天然鉱石を処理する無機酸としては、例えば、硫酸、塩酸、硝酸またはこれらの混合物が好適に使用できるが、中でも、溶解度と反応速度に優れ、かつ不揮発性の硫酸がより好ましい。
【００４５】
処理用凝集剤の製造方法としては、例えば９８％硫酸を用いた場合、２０〜２５重量％の硫酸と、岩石の粉砕物（予め１．０ｍｍ以下に粉砕したもの）を５０〜６６重量％と、その他（水）とを混合し、６５〜７５℃で５〜８時間熱処理及び攪拌し、さらに１２〜１５時間冷却及び攪拌してミネラルを溶解抽出させることにより、処理用凝集剤（ミネラル濃縮液）を製造することができる。
【００４６】
そして、この処理用凝集剤（ミネラル濃縮液）は、水酸化ナトリウムまたはクエン酸緩衝液などを所要量添加することにより、ｐＨが５〜７に調整されることが好ましい。これにより、凝集能力が高めることができると共に、飲料水中の有機物および砒素、鉛等の有害重金属を凝集させて除去することが可能となる。
【００４７】
また、このようにして得られた処理用凝集剤は、原料としての天然鉱石の化学組成にもよるが、腐食岩（バーミュキュライト）を原料した場合、以下の表１のように、ミネラルを２０種類以上含有している。
【００４８】
【表１】
2014021030.tif 000003
【００４９】
このようなミネラル（微量元素）を豊富に含む処理用凝集剤を、飲料水に添加することでアルミニウム、鉄、ケイ素等の凝集作用により、セシウムを含む有害物質の除去を効果的に行うことができると共に、定量的に多数の微量元素の補給を行うことができる。
【００５０】
貯水容器４は、原水容器２内にてセシウムが除去された生成水を貯留するための容器であり、図３または図４に示すように、上端が開口した有底筒状容器に構成されている。貯水容器４の下部付近の側部には貯水容器４内に貯留された生成水を外部に取り出すためのコック１４が設けられており、また、貯水容器４は必要に応じて置台１５の上方に載置され、コック１４からの出水がより容易となるように構成されている。
【００５１】
なお、原水容器２および貯水容器４は、外部から水位や水質などを観察できるように透明又は半透明な抗菌処理済みの合成樹脂容器にて形成されている。
【００５２】
中継ぎ部材３は、原水容器２と貯水容器４とを上下方向に一体となるように中継ぎするためのものであって、図４または図５に示すように、中央に開口を有し上端周縁部の上面において原水容器２の外底面を支持する凹状体３Ａと、凹状体３Ａの下部に配され、凹状体３Ａを中央開口部の周縁部にて支持すると共に、外周縁にて貯水容器４の上端開口縁部と係合する環状体３Ｂとから構成されている。
【００５３】
つぎに、ミネラルウォーター生成器１の使用方法について説明する。
図２に示した状態で上蓋９を取り外し、原水容器２に所要量のプルシアンブルーと所要量（原水の０．０１〜０．０３重量％程度）の処理用凝集剤が添加された原水を注ぎ込み、必要に応じて上蓋９をする。
【００５４】
ここで、処理用凝集剤が添加された原水は、一定時間経過後に上述したミネラルが豊富な水に生成されると共に、セシウムおよび遊離塩素や有機塩素化合物その他の有機物の凝集が行われる。さらに、雑菌の制菌が行われると共に、セシウムを含有した凝集物はプルシアンブルーにより青色に着色されて原水中に沈殿する。
【００５５】
なお、このような凝集作用の物理的、化学的メカニズムは具体的には解明されていないが、マグネシウム、アルミニウム、カルシウム、鉄、カリウム、ナトリウム、ケイ素等の複数の金属塩が複塩を形成し、複雑にからみ合いながら電荷を効率よく中和させ凝集させるものと考えられる。
【００５６】
このように凝集処理された原水は、活性炭７を内蔵したフィルター７を通過した後、筒部１１を経由して貯水容器４内へ落下し貯留される。この過程で原水はセラミックスフィルター７Ａによって濾過されてセシウムを含有する凝集物が除去され、さらに、セラミックスフィルター７Ａ内部に配された活性炭７と接触して残存する不純物が吸着され、脱臭、脱色等がなされて良質なミネラルウォーターとして浄化生成される。
【００５７】
ここで、使用者は、貯水容器４内に貯留された生成水が青色を呈していれば、生成水中にセシウムが存在している可能性があり、飲用を回避できる一方、無色透明であればセシウムが除去されたものとして安心して生成水を飲用することができる。
【００５８】
貯水容器４内に貯留した生成水を取り出す際には、コック１４を開くだけでよいが、中継ぎ部材３を持ち上げて貯水容器４の上端開口から汲み上げてもよい。
【００５９】
また、長時間の使用によって活性炭７およびセラミックスフィルター７Ａ（フィルター８）が汚れたり目詰まりした場合は、フィルター載置板１０からフィルター８を取り外して新旧取り替えるだけでよい。さらに、フィルター機能が低下している場合には、プルシアンブルーにより青色に着色されたセシウムを含んだ凝集物が貯水容器４内に流入するため、そのような危険な場合もフィルター８を取り外して新旧取り替えることができ、生成水内のセシウムの有無を使用者が逐次確認し、飲用を回避することで安全性を確実に担保することができる。
【００６０】
（セシウム除去能試験）
ミネラルウォーター生成器１を用いて以下のようにセシウム除去試験を行った。
セシウムを１．１ｍｇ／Ｌの割合で含有した原水を原水容器２に収容し、この原水に原水総量の０．０２重量％の処理用凝集剤と、原水総量の０．００１重量％のプルシアンブルーと、有機物として原水総量の０．０００５重量％のコーヒーフレッシユを添加し＜さらに水酸化ナトリウムを加えて中性にして十分に攪拌した。その後、フィルター８を介して貯水容器４に貯留した生成水をＩＣＰ質量分析法により分析したところ、セシウムの含有量は、＜０．００２ｍｇ／Ｌとの計量結果を得た。
【００６１】
計量値「＜０．００２ｍｇ／Ｌ」は、使用された計量器の精度ではセシウムは検出されなかったことを意味するものであり、本発明のセシウムの除去方法およびセシウム除去機能を備えたミネラルウォーター生成器によって、セシウムが効果的に除去されたことが確認された。
【００６２】
なお、上記実施例のミネラルウォーター生成器１は、本発明のセシウムの除去方法を一般家庭用のミネラルウォーター（飲料水）生成器に使用したものであるが、廃液、生活用水、海水、河川水、池水、動植物育成用水、食品加工用水等各種汚染水からセシウムを除去する場合は、原水容器２を大型化した汚染水容器を構成し、各種汚染水に、汚染水量に対して極少量のプルシアンブルーおよび上記処理用凝集剤を添加し、汚染水容器内に形成されたセシウムを含有した凝集物をフィルター手段にて濾過することにより汚染水からセシウムを一掃除去することができる。
【符号の説明】
【００６３】
１ ミネラルウォーター生成器
２ 原水容器
３ 中継ぎ部材
３Ａ 凹状体
３Ｂ 環状体
４ 貯水容器
５ 連通口
６ フィルター載置部
７ 活性炭
７Ａ セラミックスフィルター
８ フィルター
９ 上蓋
１０ フィルター載置板
１１ 筒部
１２ フィルター載置部材
１３ 蝶ナット
１４ コック
１５   置台
３０  汚染水貯留槽
３１  汚染水処理容器
３２  凝集物容器
３３  液体容器
３４  第１排出口
３５  第２排出口
【図１】
2014021030.tif 000004
【図２】
2014021030.tif 000005
【図３】
2014021030.tif 000006
【図４】
2014021030.tif 000007
【図５】
2014021030.tif 000008